Podtech/llm-jp-corpus-v4-ja_patent huggingface dataset:
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
書込装置と、携帯端末装置と、管理装置と、を具備し、
前記書込装置は、前記携帯端末装置からコンテンツの画像の書込指示を受信する受信手段と、書込外力に応じて書換可能な画像が形成され且つ当該書込外力が除去された後も形成された画像を表示状態で保持する表示保持媒体に、前記受信手段により受信された書込指示に基づいてコンテンツの画像を書き込む書込手段と、を備え、
前記管理装置は、複数のコンテンツのデータ及び各コンテンツの属性情報を記憶する記憶手段と、複数のコンテンツをその属性情報に基づいて順序付ける順序付け手段と、前記順序付け手段による順序付けに従ったコンテンツの一覧情報を生成する生成手段と、前記生成手段により生成された一覧情報を前記携帯端末装置に送信する送信手段と、を備え、
前記携帯端末装置は、前記管理装置から一覧情報を受信する受信手段と、前記受信手段により受信された一覧情報に基づくコンテンツ一覧を表示する表示手段と、前記表示手段による一覧表示からの書込対象コンテンツの選択入力を利用者から受け付ける書込対象受付手段と、前記書込対象コンテンツのデータに基づくコンテンツの画像の書込指示を前記書込装置に送信する送信手段と、を備え、
前記携帯端末装置は、前記表示手段によってコンテンツ一覧として表示された各コンテンツを特定する情報の一覧から、サムネイル対象コンテンツの選択入力を利用者から受け付けるサムネイル対象受付手段を備え、前記表示手段により、前記選択されたサムネイル対象コンテンツのデータに基づくコンテンツの縮小画像を表示し、前記書込対象受付手段により、前記縮小画像の表示がなされたコンテンツについて書込対象コンテンツの選択入力を利用者から受け付け、
前記管理装置は、前記記憶手段に、属性情報として、前記携帯端末装置の表示手段によりコンテンツの縮小画像が表示された回数及び前記携帯端末装置からの書込指示によって前記書込装置によりコンテンツの画像が前記表示保持媒体に書き込まれた回数を記憶しており、前記順序付け手段により、前記表示回数に対する前記書込回数の比率が大きい順に複数のコンテンツを順序付ける、
ことを特徴とするコンテンツ表示システム。
【請求項２】
前記コンテンツは１以上のページを含むドキュメントであり、
前記管理装置の記憶手段は、各ドキュメントの各ページ毎の属性情報を記憶しており、
前記管理装置の順序付け手段は、各ドキュメントに含まれるそれぞれのページの属性情報に基づいてこれら複数のページを順序付けし、
前記管理装置の生成手段は、コンテンツの一覧情報として、前記順序付け手段による順序付けに従ってページを単位とした一覧情報を生成することを特徴とする請求項１に記載のコンテンツ表示システム。
【請求項３】
書込外力に応じて書換可能な画像が形成され且つ当該書込外力が除去された後も形成された画像を表示状態で保持する表示保持媒体への書込装置による書込対象となる複数のコンテンツのデータ及び各コンテンツの属性情報を記憶する記憶手段と、
複数のコンテンツをその属性情報に基づいて順序付ける順序付け手段と、
前記順序付け手段による順序付けに従ったコンテンツの一覧情報を生成する生成手段と、
前記生成手段により生成された一覧情報を、当該一覧情報に基づくコンテンツ一覧を表示して前記書込装置による前記表示保持媒体への書込対象コンテンツの選択入力を利用者から受け付ける携帯端末装置に送信する送信手段と、
を備え、
前記携帯端末装置は、前記コンテンツ一覧として表示された各コンテンツを特定する情報の一覧から、サムネイル対象コンテンツの選択入力を利用者から受け付け、当該選択されたサムネイル対象コンテンツのデータに基づくコンテンツの縮小画像を表示し、当該縮小画像の表示がなされたコンテンツについて書込対象コンテンツの選択入力を利用者から受け付けるものであり、
前記記憶手段は、属性情報として、前記携帯端末装置によりコンテンツの縮小画像が表示された回数及び前記携帯端末装置からの書込指示によって前記書込装置によりコンテンツの画像が前記表示保持媒体に書き込まれた回数を記憶しており、
前記順序付け手段は、前記表示回数に対する前記書込回数の比率が大きい順に複数のコンテンツを順序付ける、
ことを特徴とする管理装置。
【請求項４】
前記コンテンツは１以上のページを含むドキュメントであり、
前記管理装置の記憶手段は、各ドキュメントの各ページ毎の属性情報を記憶しており、
前記管理装置の順序付け手段は、各ドキュメントに含まれるそれぞれのページの属性情報に基づいてこれら複数のページを順序付けし、
前記管理装置の生成手段は、コンテンツの一覧情報として、前記順序付け手段による順序付けに従ってページを単位とした一覧情報を生成することを特徴とする請求項３に記載の管理装置。
【請求項５】
コンピュータを、
書込外力に応じて書換可能な画像が形成され且つ当該書込外力が除去された後も形成された画像を表示状態で保持する表示保持媒体への書込装置による書込対象となる複数のコンテンツのデータ及び各コンテンツの属性情報を記憶する記憶手段と、
複数のコンテンツをその属性情報に基づいて順序付ける順序付け手段と、
前記順序付け手段による順序付けに従ったコンテンツの一覧情報を生成する生成手段と、
前記生成手段により生成された一覧情報を、当該一覧情報に基づくコンテンツ一覧を表示して前記書込装置による前記表示保持媒体への書込対象コンテンツの選択入力を利用者から受け付ける携帯端末装置に送信する送信手段として機能させるためのプログラムであって、
前記携帯端末装置は、前記コンテンツ一覧として表示された各コンテンツを特定する情報の一覧から、サムネイル対象コンテンツの選択入力を利用者から受け付け、当該選択されたサムネイル対象コンテンツのデータに基づくコンテンツの縮小画像を表示し、当該縮小画像の表示がなされたコンテンツについて書込対象コンテンツの選択入力を利用者から受け付けるものであり、
前記記憶手段は、属性情報として、前記携帯端末装置によりコンテンツの縮小画像が表示された回数及び前記携帯端末装置からの書込指示によって前記書込装置によりコンテンツの画像が前記表示保持媒体に書き込まれた回数を記憶しており、
前記順序付け手段は、前記表示回数に対する前記書込回数の比率が大きい順に複数のコンテンツを順序付ける、
ことを特徴とするプログラム。
【請求項６】
前記コンテンツは１以上のページを含むドキュメントであり、
前記管理装置の記憶手段は、各ドキュメントの各ページ毎の属性情報を記憶しており、
前記管理装置の順序付け手段は、各ドキュメントに含まれるそれぞれのページの属性情報に基づいてこれら複数のページを順序付けし、
前記管理装置の生成手段は、コンテンツの一覧情報として、前記順序付け手段による順序付けに従ってページを単位とした一覧情報を生成することを特徴とする請求項５に記載のプログラム。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
真空容器内部の処理室内に配置された試料をプラズマを用いてエッチング処理するエッチング処理装置であって、前記処理室の内側に配置された部材と、所定の材料が溶射されて形成され前記部材の表面を覆って前記プラズマに面する被膜であって、その表面が前記材料と同じ材料を用いて封孔された被膜を備えたエッチング処理装置。
【請求項２】
請求項１に記載のエッチング処理装置であって、前記被膜は前記部材の表面に溶射されて形成された後にその表面を溶融させて封孔されたエッチング処理装置。
【請求項３】
請求項１に記載のエッチング処理装置であって、前記被膜は前記部材の表面に溶射されて形成された後にゾルゲル法を用いてその表面に前記材料と同じ材料が被覆されて封孔されたエッチング処理装置。
【請求項４】
請求項３に記載のエッチング処理装置であって、前記被膜の表面は前記材料と同じ材料が被覆された後に４００乃至５００度に加熱されて封孔されたエッチング処理装置。
【請求項５】
請求項１乃至４のいずれかに記載のエッチング処理装置において、前記被膜を構成する材料が、Ａｌ2Ｏ3，ＹＡＧ，Ｙ2Ｏ3，Ｇｄ2Ｏ3，Ｙｂ2Ｏ3，ＹＦ3のいずれか１種類もしくは２種類以上で構成されているエッチング処理装置。
【請求項６】
請求項２記載のプラズマエッチング装置において、前記被膜は、前記部材の表面に溶射されて形成された後にその表面をフレーム加熱，アーク照射，レーザ照射，電子ビーム加熱のいずれか１種類もしくは２種類以上の処理を施してこの表面を溶融させて封孔されたエッチング処理装置。
【手続補正２】
【補正対象書類名】明細書
【補正対象項目名】００１８
【補正方法】変更
【補正の内容】
【００１８】
さらにまた、前記被膜を構成する材料が、Ａｌ2Ｏ3，ＹＡＧ，Ｙ2Ｏ3，Ｇｄ2Ｏ3，Ｙｂ2Ｏ3，ＹＦ3のいずれか１種類もしくは２種類以上で構成されていることにより達成される。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
冷却媒体が充満された密閉構造のハウジング内に、Ｘ線を発生するＸ線管と、前記Ｘ線管を制御する制御装置が収容されたＸ線管装置であって、前記ハウジング内に設けられた前記Ｘ線管に、Ｘ線発生時に発生した熱を一時蓄熱し、前記Ｘ線管の休止時に放熱する放熱手段を接続したことを特徴とするＸ線管装置。
【請求項２】
前記Ｘ線管の陽極に陽極棒を介して接続された蓄熱部材と、前記蓄熱部材の周囲を被覆する放熱部材とから形成してなる前記放熱手段を備える請求項１に記載のＸ線管装置。
【請求項３】
前記陽極棒と前記放熱部材の間に、両者の間を断熱する隙間を形成してなる請求項２に記載のＸ線管装置。
【請求項４】
前記蓄熱部材を比熱の大きい部材で、前記放熱部材を熱伝導率の高い部材で形成してなる請求項２又は３の何れかに記載のＸ線管装置。
【請求項５】
前記畜熱部材をモリブデンで、前記放熱部材を銅で形成してなる請求項２ないし４の何れかに記載のＸ線管装置。
【手続補正２】
【補正対象書類名】明細書
【補正対象項目名】００１０
【補正方法】変更
【補正の内容】
【００１０】
蓄熱部材６ｂの周囲を被覆する放熱部材６ａは、蓄熱部材６ｂに蓄熱された熱がすぐに放熱されないように適度の肉厚を有しており、外周面には、複数のフィン６ｃが突設されていて、Ｘ線管３より蓄熱部材６ｂに伝達された熱の一部は、これらフィン６ｃにより冷却媒体９に放熱されるようになっている。
また陽極３ｃより陽極棒３ｇに伝達された熱が直接放熱部材６ａより放熱されないように、陽極棒３ｇと放熱部材６ａの間には予め隙間６ｄが形成されていて、この隙間６ｄに侵入した冷却媒体９により陽極棒３ｇと放熱部材６ａの間が断熱されている。
【手続補正書】
【提出日】平成22年12月27日(2010.12.27)
【手続補正１】
【補正対象書類名】明細書
【補正対象項目名】０００４
【補正方法】変更
【補正の内容】
【０００４】
他方、この残留物は、合成時にアルカリ成分の使用量を少なくすることにより、減らすことができるが、このようにすると、合成反応が未成熟になるため、得られたリチウムニッケル複合酸化物の熱的安定性が悪くなると共に、活物質のインピーダンスを増加させ放電性能を低下させる等、望ましくない結果を生じる。
【手続補正書】
【提出日】平成22年12月28日(2010.12.28)
【手続補正１】
【補正対象書類名】特許請求の範囲
【補正対象項目名】請求項１
【補正方法】変更
【補正の内容】
【請求項１】
底部及び側壁部を有するパッケージと、
一の面に光学素子が形成され、前記一の面と反対側の面が前記パッケージの底部に固着された半導体チップと、
前記光学素子を覆うように前記半導体チップに固着された透明部材と、
前記パッケージと前記半導体チップとの間に充填された封止樹脂とを備え、
前記側壁部は、その上部に前記パッケージの内側方向に庇状に張り出した庇部を有し、
前記透明部材は、前記庇部により形成された窓部から露出していることを特徴とする光学半導体装置。
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
共鳴光による量子干渉効果を利用した原子発振器であって、
前記共鳴光を出射する光源と、
前記共鳴光が入射されるガスセルと、
前記ガスセルを通過した前記共鳴光を検出する光検出手段と、を備え、
前記ガスセルは、厚み方向に貫通した開口部を有する基板と、前記開口部の両端を封止する透明部材と、前記開口部にアルカリ金属原子が封入された構成と、を有し、
前記基板に配置された発熱素子を備えたことを特徴とする原子発振器。
【請求項２】
前記基板に配置された温度検出用素子を備えたことを特徴とする請求項１に記載の原子発振器。
【請求項３】
前記基板の外周と前記開口部との間に複数の前記発熱素子を配置したことを特徴とする請求項１または２の何れか一項に記載の原子発振器。
【請求項４】
前記複数の発熱素子を、前記基板の外周と前記開口部との間の、前記基板の外周に寄った位置に配置したことを特徴とする請求項３に記載の原子発振器。
【請求項５】
前記複数の前記発熱素子と前記開口部との間に、前記発熱素子よりも発熱量の小さい発熱素子を配置したことを特徴とする請求項４に記載の原子発振器。
【手続補正２】
【補正対象書類名】明細書
【補正対象項目名】発明の名称
【補正方法】変更
【補正の内容】
【発明の名称】原子発振器
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
画像表示装置であって、
主表示領域と複数の副表示領域とを有する表示手段と、
前記表示手段における表示内容を制御して、前記複数の副表示領域に複数の画像を表示するとともに、前記複数の副表示領域のうちの一の副表示領域に表示される所定の画像を前記主表示領域にも表示する表示制御手段と、
を備え、
前記表示制御手段は、所定条件の充足に応じて、前記主表示領域における前記所定の画像の表示方向を横長方向から縦長方向に変更するとともに、前記主表示領域を横長領域から縦長領域に変更する画像表示装置。
【請求項２】
請求項１に記載の画像表示装置において、
前記表示制御手段は、前記所定条件の充足に応じて、前記一の副表示領域における前記所定の画像の表示方向をも横長方向から縦長方向に変更するとともに、前記一の副表示領域をも横長領域から縦長領域に変更する画像表示装置。
【請求項３】
請求項２に記載の画像表示装置において、
前記表示制御手段は、
前記主表示領域における前記所定の画像の表示方向が横長方向である場合には、前記主表示領域を横長領域に設定するとともに、前記複数の副表示領域を前記主表示領域の上側または下側に配置し、
前記主表示領域における前記所定の画像の表示方向が縦長方向である場合には、前記主表示領域を縦長領域に設定するとともに、前記複数の副表示領域を前記主表示領域の横に配置する画像表示装置。
【請求項４】
請求項１に記載の画像表示装置において、
前記主表示領域における前記所定の画像の表示方向を横長方向から縦長方向に変更する変更指示を入力する入力手段、
をさらに備え、
前記表示制御手段は、前記変更指示に応答して前記主表示領域における前記所定の画像の表示方向を横長方向から縦長方向に変更するとともに、前記主表示領域を横長領域から縦長領域に変更する画像表示装置。
【請求項５】
請求項１に記載の画像表示装置において、
前記所定の画像に関する撮影情報を取得する取得手段、
をさらに備え、
前記表示制御手段は、前記撮影情報に基づいて前記所定の画像が縦長画像であると判定される場合には、前記主表示領域における前記所定の画像の表示方向を横長方向から縦長方向に変更するとともに、前記主表示領域を横長領域から縦長領域に変更する画像表示装置。
【請求項６】
撮像装置であって、
主表示領域と複数の副表示領域とを有する表示手段と、
前記表示手段における表示内容を制御して、前記複数の副表示領域に複数の画像を表示するとともに、前記複数の副表示領域のうちの一の副表示領域に表示される所定の画像を前記主表示領域にも表示する表示制御手段と、
を備え、
前記表示制御手段は、所定条件の充足に応じて、前記主表示領域における前記所定の画像の表示方向を横長方向から縦長方向に変更するとともに、前記主表示領域を横長領域から縦長領域に変更する撮像装置。
【請求項７】
コンピュータに、
a)主表示領域における所定の画像の表示方向を横長方向から縦長方向に変更するか否かを決定する手順と、
b)前記主表示領域における前記所定の画像の表示方向が縦長方向に変更される場合には、前記主表示領域を横長領域から縦長領域に変更するとともに、前記所定の画像を前記主表示領域と複数の副表示領域のうちの一の副表示領域との双方に表示する手順と、
を実行させるためのプログラム。
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
医用撮像装置を用いて被検者を撮像することにより得られた複数の医用画像を複数の医師が分担して読影できるよう分担先を決定する医用画像処理装置であって、
前記複数の医用画像のうち、分担の対象となる医用画像について解析を行い、解析結果を出力する解析手段と、
前記分担の対象となる医用画像の撮像に用いられた医用撮像装置に関する情報を取得する取得手段と、
特定の病変の読影に対する前記各医師の適性を示す情報と、特定の医用撮像装置による撮像により得られた医用画像の読影に対する前記各医師の適性を示す情報とを登録する登録手段と、
前記解析手段による解析結果に、病変に関する情報が含まれていた場合には、前記分担の対象となる医用画像の分担先を、前記登録手段に登録された、特定の病変の読影に対する各医師の適性を示す情報に基づいて決定し、前記解析手段による解析結果に、病変に関する情報が含まれていなかった場合には、前記分担の対象となる医用画像の分担先を、前記登録手段に登録された、特定の医用撮像装置による撮像により得られた医用画像の読影に対する各医師の適性を示す情報に基づいて決定する決定手段と
を備えることを特徴とする医用画像処理装置。
【請求項２】
前記決定手段は、前記解析手段による解析結果に、病変に関する情報として、病変の識別難易度が含まれていた場合、前記登録手段に登録された、特定の病変の読影に対する医師の適性を示す情報に基づいて、前記分担の対象となる医用画像の分担先を決定するにあたり、病変の識別難易度に応じて、異なる分担先に決定することを特徴とする請求項１に記載の医用画像処理装置。
【請求項３】
前記登録手段は、特定の病変の読影に対する前記各医師の適性を示す情報として、各医師の専門分野、読影を得意とする部位、読影の経験年数、役職のうちの少なくとも１つを登録し、特定の医用撮像装置による撮像により得られた医用画像の読影に対する前記各医師の適性を示す情報として、各医師が読影可能な医用画像に関する情報を登録することを特徴とする請求項１に記載の医用画像処理装置。
【請求項４】
医用撮像装置を用いて被検者を撮像することにより得られた複数の医用画像を複数の医師が分担して読影するための分担先を決定する医用画像処理装置であって、
前記複数の医用画像のうち、分担の対象となる医用画像に付加された、該医用画像の読影についての時期的制限に関する情報を取得する取得手段と、
前記各医師の、医用画像の読影可能な時期に関する情報を登録する登録手段と、
前記登録手段に登録された時期に関する情報に基づいて、前記取得手段により取得された時期的制限を具備する医師を判定し、前記対象とする医用画像の分担先として決定する決定手段と
を備えることを特徴とする医用画像処理装置。
【請求項５】
前記決定手段により分担先が決定された各医用画像の読影順序を、分担先ごとに設定する設定手段を更に備えることを特徴とする請求項１乃至４のいずれか１項に記載の医用画像処理装置。
【請求項６】
医用撮像装置を用いて被検者を撮像することにより得られた複数の医用画像を複数の医師が分担して読影できるよう分担先を決定する医用画像処理装置における医用画像処理方法であって、
解析手段が、前記複数の医用画像のうち、分担の対象となる医用画像について解析を行い、解析結果を出力する解析工程と、
取得手段が、前記分担の対象となる医用画像の撮像に用いられた医用撮像装置に関する情報を取得する取得工程と、
登録手段が、特定の病変の読影に対する前記各医師の適性を示す情報と、特定の医用撮像装置による撮像により得られた医用画像の読影に対する前記各医師の適性を示す情報とを登録する登録工程と、
決定手段が、前記解析工程における解析結果に、病変に関する情報が含まれていた場合には、前記分担の対象となる医用画像の分担先を、前記登録工程において登録された、特定の病変の読影に対する各医師の適性を示す情報に基づいて決定し、前記解析工程における解析結果に、病変に関する情報が含まれていなかった場合には、前記分担の対象となる医用画像の分担先を、前記登録工程において登録された、特定の医用撮像装置による撮像により得られた医用画像の読影に対する各医師の適性を示す情報に基づいて決定する決定工程と
を備えることを特徴とする医用画像処理方法。
【請求項７】
医用撮像装置を用いて被検者を撮像することにより得られた複数の医用画像を複数の医師が分担して読影できるよう分担先を決定する医用画像処理装置のコンピュータに、
前記複数の医用画像のうち、分担の対象となる医用画像について解析を行い、解析結果を出力する解析工程と、
前記分担の対象となる医用画像の撮像に用いられた医用撮像装置に関する情報を取得する取得工程と、
特定の病変の読影に対する前記各医師の適性を示す情報と、特定の医用撮像装置による撮像により得られた医用画像の読影に対する前記各医師の適性を示す情報とを登録する登録工程と、
前記解析工程における解析結果に、病変に関する情報が含まれていた場合には、前記分担の対象となる医用画像の分担先を、前記登録工程において登録された、特定の病変の読影に対する各医師の適性を示す情報に基づいて決定し、前記解析工程における解析結果に、病変に関する情報が含まれていなかった場合には、前記分担の対象となる医用画像の分担先を、前記登録工程において登録された、特定の医用撮像装置による撮像により得られた医用画像の読影に対する各医師の適性を示す情報に基づいて決定する決定工程と
を実行させるためのプログラム。
【請求項８】
医用撮像装置を用いて被検者を撮像することにより得られた複数の医用画像を複数の医師が分担して読影できるよう分担先を決定する医用画像処理装置のコンピュータに、
前記複数の医用画像のうち、分担の対象となる医用画像について解析を行い、解析結果を出力する解析工程と、
前記分担の対象となる医用画像の撮像に用いられた医用撮像装置に関する情報を取得する取得工程と、
特定の病変の読影に対する前記各医師の適性を示す情報と、特定の医用撮像装置による撮像により得られた医用画像の読影に対する前記各医師の適性を示す情報とを登録する登録工程と、
前記解析工程における解析結果に、病変に関する情報が含まれていた場合には、前記分担の対象となる医用画像の分担先を、前記登録工程において登録された、特定の病変の読影に対する各医師の適性を示す情報に基づいて決定し、前記解析工程における解析結果に、病変に関する情報が含まれていなかった場合には、前記分担の対象となる医用画像の分担先を、前記登録工程において登録された、特定の医用撮像装置による撮像により得られた医用画像の読影に対する各医師の適性を示す情報に基づいて決定する決定工程と
を実行させるためのプログラムを格納したコンピュータ読取可能な記憶媒体。
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
現実空間を撮像して撮像画像データを生成する撮像手段を備え、該撮像画像データをＣＧ画像と合成して表示手段に表示する表示装置と、前記ＣＧ画像を生成し、前記表示装置に無線通信により提供する複数の画像処理装置とを備える画像処理システムであって、
前記現実空間に配置された第１の指標につき、該第１の指標の第１の位置姿勢情報を登録し、前記画像処理装置に添付された第２の指標につき、該第２の指標の第２の位置姿勢情報と前記表示装置が前記画像処理装置と無線通信するための接続情報とを関連づけて登録するリストを登録する登録手段と、
前記表示装置と通信する前記複数の画像処理装置のいずれかとの通信状況が悪化した場合に、前記撮像手段により生成された撮像画像データに含まれる前記第１の指標について前記リストに登録されている第１の位置姿勢情報と、前記リストに登録されている前記第２の位置姿勢情報とに基づいて、前記表示装置と最も距離の近い画像処理装置を選択する選択手段と
を備え、
前記表示装置は、通信する画像処理装置を、前記選択手段により選択された前記最も距離の近い画像処理装置に切り替えることを特徴とする画像処理システム。
【請求項２】
前記第２の指標には、前記接続情報が与えられ、
前記表示装置は、
前記撮像画像データから、前記第１の指標又は第２の指標を検出する指標検出手段と、
前記指標検出手段により検出された指標の位置姿勢情報を、前記リストに登録された他の指標の位置姿勢情報を利用して生成する位置姿勢情報生成手段と、
前記検出された指標が前記リストに登録されているか否かを判定する判定手段と
を備え、
前記検出された指標が前記リストに登録されていないと判定され、かつ、該検出された指標が前記第２の指標の場合に、前記リストには該検出された第２の指標について、該第２の指標について生成された前記第２の位置姿勢情報と、前記第２の指標から抽出された前記接続情報とが追加されることを特徴とする請求項１に記載の画像処理システム。
【請求項３】
前記検出された指標が前記リストに登録されていないと判定され、かつ、該検出された指標が前記第１の指標の場合に、前記リストには該検出された第１の指標について、該第１の指標について生成された前記第１の位置姿勢情報が追加されることを特徴とする請求項２に記載の画像処理システム。
【請求項４】
前記判定手段は、前記検出された指標が前記リストに既に登録されている場合に、該登録されている指標の前記位置姿勢情報が、前記位置姿勢情報生成手段で生成された位置姿勢情報と一致するか否かを判定し、
前記判定手段により一致しないと判定された場合に、該登録されている指標の前記位置姿勢情報が、前記位置姿勢情報生成手段で生成された位置姿勢情報により更新されることを特徴とする請求項２または３に記載の画像処理システム。
【請求項５】
前記表示装置は、前記登録手段と、前記選択手段とをさらに備えることを特徴とする請求項１乃至４のいずれか１項に記載の画像処理システム。
【請求項６】
前記画像処理システムは、前記画像処理装置と通信するシステム管理サーバをさらに備え、
前記システム管理サーバは、前記登録手段と、前記選択手段とを備え、前記最も距離の近い画像処理装置への切替指示を、前記画像処理装置を介して前記表示装置へ通知することを特徴とする請求項１乃至４のいずれか１項に記載の画像処理システム。
【請求項７】
現実空間を撮像して撮像画像データを生成する撮像手段を備え、該撮像画像データをＣＧ画像と合成して表示手段に表示する表示装置と、前記ＣＧ画像を生成し、前記表示装置に無線通信により提供する複数の画像処理装置とを備える画像処理システムの制御方法であって、
前記表示装置の登録手段が、前記現実空間に配置された第１の指標につき、該第１の指標の第１の位置姿勢情報を登録し、前記画像処理装置に添付された第２の指標につき、該第２の指標の第２の位置姿勢情報と前記表示装置が前記画像処理装置と無線通信するための接続情報とを関連づけて登録するリストを登録する登録工程と、
前記表示装置の選択手段が、前記表示装置と通信する前記複数の画像処理装置のいずれかとの通信状況が悪化した場合に、前記撮像手段により生成された撮像画像データに含まれる前記第１の指標について前記リストに登録されている第１の位置姿勢情報と、前記リストに登録されている前記第２の位置姿勢情報とに基づいて、前記表示装置と最も距離の近い画像処理装置を選択する選択工程と、
を備え、
前記表示装置は、通信する画像処理装置を、前記選択工程において選択された前記最も距離の近い画像処理装置に切り替えることを特徴とする画像処理システムの制御方法。
【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
ＡＤ変換器からのシリアルデータを積分する積分回路、及び、その積分値を微分する微分回路を有する積分微分回路と、
定周期で平均化の変換開始信号を発生する変換周期タイマと、
前記変換開始信号を受けてクロックに同期し、前記積分微分回路に対して移動平均開始信号のロード信号と移動平均の変換終了信号を発生するロード信号生成回路と、
前記積分微分回路の出力をデータラッチし保持する変換データラッチと、
を備え、
前記積分微分回路は、複数の積分微分回路で構成され、
前記ロード信号生成手段は、複数の積分微分回路に時間をずらして起動するロード信号と、変換データを選択するための選択信号とを発生し、
前記複数の積分微分回路からの出力を切り替え変換データとする変換データセレクタを更に備えた、シリアルデータ移動平均装置。
【請求項２】
前記複数の積分微分回路は、同じ構成の積分微分回路を複数有する、請求項１記載のシリアルデータ移動平均装置。
【請求項３】
前記ロード信号生成回路は、任意のロード間隔で複数のロード信号を起動し、各ロード信号はシリアルデータのサンプリング回数に応じた間隔でパルスを生成する、請求項１又は２に記載のシリアルデータ移動平均装置。
【請求項４】
前記ロード信号生成回路は、前記複数の積分微分回路での平均化が終了するタイミングにあわせて変換データ選択のための選択信号を生成する、請求項１〜３のいずれか１項に記載のシリアルデータ移動平均装置。
【請求項５】
前記ロード信号生成回路は、前記複数の積分微分回路での平均化が終了するタイミングにあわせてデータを保持するための変換完了信号を生成する、請求項１〜４のいずれか１項に記載のシリアルデータ移動平均装置。
【請求項６】
前記変換データセレクタは、前記ロード信号生成回路で生成された選択信号によって前記複数の積分微分回路の出力を切り替える、請求項１〜５のいずれか１項に記載のシリアルデータ移動平均装置。
【手続補正２】
【補正対象書類名】明細書
【補正対象項目名】０００４
【補正方法】変更
【補正の内容】
【０００４】
上記問題を解決するため、本発明は、次のように構成したのである。
すなわち、本発明の一の観点によるシリアルデータ移動平均装置は、ＡＤ変換器からのシリアルデータを積分する積分回路３５と、その積分値を微分する微分回路３６からなる積分微分回路５と、定周期で平均化の変換開始信号４３を発生する変換周期タイマ３９と、前記変換開始信号を受けてクロック３４に同期し、前記積分微分回路に対して移動平均開始信号のロード信号４と移動平均の変換終了信号７を発生するロード信号生成回路２と、積分微分回路の出力をデータラッチし保持する変換データラッチ３７とを備えたシリアルデータ移動平均装置において、前記積分微分回路５は複数の積分微分回路で構成され、前記ロード信号生成手段２は複数の積分微分回路に時間をずらして起動するロード信号４と、変換データを選択するための選択信号６とを発生し、前記複数の積分微分回路５からの出力を切り替え変換データとする変換データセレクタ３とを備えたことを特徴とする。
また、上記一の観点によるシリアルデータ移動平均装置は、同じ構成の積分微分回路を複数持つことを特徴としてもよい。
また、上記一の観点によるシリアルデータ移動平均装置は、任意のロード間隔で発生してシリアルデータのサンプリング回数に応じた間隔でパルスを生成する複数のロード信号を生成し、複数の積分微分回路での平均化が終了するタイミングにあわせて変換データ選択のための選択信号を生成し、複数の積分微分回路での平均化が終了するタイミングにあわせてデータを保持するための変換完了信号を生成するロード信号生成回路を備えたことを特徴としてもよい。
また、上記一の観点によるシリアルデータ移動平均装置は、前記ロード信号生成回路で生成された選択信号によって前記複数の積分微分回路の出力を切り替える変換データセレクタを備えることを特徴としてもよい。
【手続補正３】
【補正対象書類名】明細書
【補正対象項目名】０００５
【補正方法】変更
【補正の内容】
【０００５】
本発明の一の観点によるシリアルデータ移動平均装置によると、変換データの更新周期を長くすること無しに、シリアルデータのサンプリング回数を増やすことができる。これにより変換精度を上げることができる。
【手続補正書】
【提出日】平成22年11月29日(2010.11.29)
【手続補正１】
【補正対象書類名】特許請求の範囲
【補正対象項目名】請求項６
【補正方法】変更
【補正の内容】
【請求項６】
請求項１から請求項５のいずれかに記載のプロジェクタにおいて、
前記板状部材の回転を規制する回転規制機構を備え、
前記回転規制機構は、
前記板状部材および前記他方にそれぞれ設けられ、互いに当接することで前記板状部材の回転を規制する当接部を備え、
前記各当接部は、前記板状部材が前記所定の回転位置に位置決めされた状態で間隙を有する位置に設けられていることを特徴とするプロジェクタ。
【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
金属のシャフトと、シャフトの外周に形成された導電性ゴム層と、前記導電性ゴム層の外周に形成されると共に平滑な外周面を有する導電性シリコンゴム被膜とを有し、
前記導電性ゴム層は、ウレタンスポンジと、ウレタンスポンジの隔壁を被覆する導電性シリコンゴム被膜との二重構造体により構成され、
前記導電性ゴム層の外周に形成した導電性シリコンゴム被膜と前記ウレタンスポンジの隔壁を被覆する導電性シリコンゴム被膜とは、ウレタンスポンジに含浸した導電性の液状シリコンを金型内で加硫処理することにより同時に形成されることを特徴とする導電性ゴムローラ。
【請求項２】
金属のシャフトと、シャフトの外周に形成された導電性ゴム層と、前記導電性ゴム層の外周に形成されると共に平滑な外周面を有する導電性シリコンゴム被膜と、前記導電性シリコンゴム被膜上に形成した導電性の表面樹脂層とを有し、
前記導電性ゴム層は、ウレタンスポンジと、ウレタンスポンジの隔壁を被覆する導電性シリコンゴム被膜との二重構造体により構成され、
前記導電性ゴム層の外周に形成した導電性シリコンゴム被膜と前記ウレタンスポンジの隔壁を被覆する導電性シリコンゴム被膜とは、ウレタンスポンジに含浸した導電性の液状シリコンを金型内で加硫処理することにより同時に形成されることを特徴とする導電性ゴムローラ。
【請求項３】
請求項１に記載の導電性ゴムローラにおいて、前記平滑な外周面を有する導電性シリコンゴム被膜の外周に導電性フッ素樹脂チューブが装着されていることを特徴とする導電性ゴムローラ。
【請求項４】
請求項１、２又は３に記載の導電性ゴムローラにおいて、当該導電性ゴムローラは、感光ドラム上に形成された静電潜像を現像する現像ローラ、感光ドラム上に形成されたトナー像を記録紙上に転写する転写ローラ、感光ドラム表面を所定の電位に帯電する帯電ローラ、定着装置用の加圧ローラ、又は導電性の駆動ローラとして用いられることを特徴とする導電性ゴムローラ。
【請求項５】
金属のシャフトと、その外周に形成され、平滑な外周面を有する導電性ゴム層とを有する導電性ゴムローラを製造するに当たり、
金属のシャフトの外周面に連泡性のウレタンスポンジが装着されたウレタンゴムローラを製造する工程と、
ウレタンゴムローラの外周面側からウレタンスポンジの内部に導電性の液状シリコンを含浸させる工程と、
液状シリコンが含浸されたウレタンゴムローラを円筒状の金型内に装着する工程と、
前記ウレタンゴムローラをローラ軸線の周りで回転させて、含浸された液状シリコンを外周面側に材料移動させる工程と、
前記液状シリコンが外周面側に材料移動した状態で加硫処理を行い、前記ウレタンゴムローラを、外周面に導電性シリコンゴム被膜が形成され、平滑な外周面を有する導電性ゴムローラに変換する工程とを有することを特徴とする導電性ゴムローラの製造方法。
【請求項６】
請求項５に記載の導電性ゴムローラの製造方法において、前記加硫処理を行った後、前記導電性シリコンゴム皮膜上に、導電性樹脂層をコーティングし、又は導電性チューブを装着する工程を具えることを特徴とするゴムローラの製造方法。
【手続補正２】
【補正対象書類名】明細書
【補正対象項目名】０００６
【補正方法】変更
【補正の内容】
【０００６】
本発明による導電性ゴムローラは、金属のシャフトと、シャフトの外周に形成された導電性ゴム層と、前記導電性ゴム層の外周に形成されると共に平滑な外周面を有する導電性シリコンゴム被膜とを有し、
前記導電性ゴム層は、ウレタンスポンジと、ウレタンスポンジの隔壁を被覆する導電性シリコンゴム被膜との二重構造体により構成され、
前記導電性ゴム層の外周に形成した導電性シリコンゴム被膜と前記ウレタンスポンジの隔壁を被覆する導電性シリコンゴム被膜とは、ウレタンスポンジに含浸した液状の導電性シリコンを金型内で加硫処理することにより同時に形成されることを特徴とする。
【手続補正３】
【補正対象書類名】明細書
【補正対象項目名】００１２
【補正方法】変更
【補正の内容】
【００１２】
本発明による別の導電性ゴムローラは、金属のシャフトと、シャフトの外周に形成された導電性ゴム層と、前記導電性ゴム層の外周に形成されると共に平滑な外周面を有する導電性シリコンゴム被膜と、前記導電性シリコンゴム被膜上に形成した導電性の表面樹脂層とを有し、
前記導電性ゴム層は、ウレタンスポンジと、ウレタンスポンジの隔壁を被覆する導電性シリコンゴム被膜との二重構造体により構成され、
前記導電性ゴム層の外周に形成した導電性シリコンゴム被膜と前記ウレタンスポンジの隔壁を被覆する導電性シリコンゴム被膜とは、ウレタンスポンジに含浸した液状の導電性シリコンを金型内で加硫処理することにより同時に形成されることを特徴とする。
【手続補正４】
【補正対象書類名】明細書
【補正対象項目名】００１４
【補正方法】変更
【補正の内容】
【００１４】
本発明による導電性ゴムローラの製造方法は、金属のシャフトと、その外周に形成され、平滑な外周面を有する導電性ゴム層とを有する導電性ゴムローラを製造するに当たり、
金属のシャフトの外周面に連泡性のウレタンスポンジが装着されたウレタンゴムローラを製造する工程と、
ウレタンゴムローラの外周面側からウレタンスポンジの内部に液状シリコンを含浸させる工程と、
液状シリコンが含浸されたウレタンゴムローラを円筒状の金型内に装着する工程と、
前記ウレタンゴムローラをローラ軸線の周りで回転させて、含浸された液状シリコンを外周面側に材料移動させる工程と、
前記液状シリコンが外周面側に材料移動した状態で加硫処理を行い、前記ウレタンゴムローラを、外周面に導電性シリコンゴム被膜が形成され、平滑な外周面を有する導電性ゴムローラに変換する工程とを有することを特徴とする。
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
透光性を有する絶縁基板上に第１の透明導電膜と第１の金属膜を順に形成し、
第１のフォトマスクを用いて第１の領域と第２の領域とを有する第１のレジストを前記第１の金属膜上に形成し、
前記第１のレジストは、前記第１の領域と前記第２の領域で膜厚の異なり、
前記第１の領域は、前記第１の透明導電膜と前記第１の金属膜の積層を残存させる領域であり、
前記第２の領域は、前記第１の透明導電膜のみを残存させる領域であり、
前記第１の領域において、前記第１のレジストを用いて前記第１の透明導電膜と前記第１の金属膜とを加工しゲート電極を形成し、
前記基板全面に絶縁膜、第１の半導体膜、第２の半導体膜、第２の金属膜を順に形成し、
第２のフォトマスクを用いて第３の領域と第４の領域とを有する第２のレジストを前記第２の金属膜上に形成し、
前記第２のレジストは、前記第３の領域と前記第４の領域で膜厚の異なり、
前記第３の領域は、チャネル領域を形成する領域であり、
前記第４の領域は、ソース領域及びドレイン領域を形成する領域であり、
前記第２のレジストで前記第１の半導体膜、前記第２の半導体膜、前記第２の金属膜を加工し、薄膜トランジスタ形成部を形成し、
前記第２のレジストをアッシングして、前記第３の領域に第３のレジストを形成し、
前記第３のレジストを用いて薄膜トランジスタ形成部から、チャネル領域と、ソース領域と、ドレイン領域とを有する薄膜トランジスタを形成し、
前記薄膜トランジスタ上に保護膜を形成し、
第３のフォトマスクを用いてコンタクトホール形成部以外の領域に第４のレジストを形成し、
前記第４のレジストで前記保護膜を加工し、前記コンタクトホールを形成し、
前記保護膜上に第２の透明導電膜を形成し、
第４のフォトマスクを用いて画素電極形成部に第５のレジストを形成し、
前記第５のレジストで前記第２の透明導電膜を加工し、画素電極を形成することを特徴とする半導体装置の作製方法。
【請求項２】
透光性を有する絶縁基板上に第１の透明導電膜と第１の金属膜を順に形成し、
第１のフォトマスクを用いて第１の領域と第２の領域とを有する第１のレジストを前記第１の金属膜上に形成し、
前記第１のレジストは、前記第１の領域と前記第２の領域で膜厚の異なり、
前記第１の領域は、前記第１の透明導電膜と前記第１の金属膜の積層を残存させる領域であり、
前記第２の領域は、前記第１の透明導電膜のみを残存させる領域であり、
前記第１の領域において、前記第１のレジストを用いて前記第１の透明導電膜と前記第１の金属膜とを加工しゲート電極を形成し、
前記基板全面に絶縁膜、第３の半導体膜、第１の半導体膜、第２の半導体膜、第２の金属膜を順に形成し、
第２のフォトマスクを用いて第３の領域と第４の領域とを有する第２のレジストを前記第２の金属膜上に形成し、
前記第２のレジストは、前記第３の領域と前記第４の領域で膜厚の異なり、
前記第３の領域は、チャネル領域を形成する領域であり、
前記第４の領域は、ソース領域及びドレイン領域を形成する領域であり、
前記第２のレジストで前記第３の半導体膜、第１の半導体膜、第２の半導体膜、第２の金属膜を加工し、前記チャネル領域と、前記ソース領域と、前記ドレイン領域とを有する薄膜トランジスタ形成部を形成し、
前記第２のレジストをアッシングして、前記チャネル領域に第３のレジストを形成し、
前記第３のレジストを用いて薄膜トランジスタ形成部から、チャネル領域と、ソース領域と、ドレイン領域とを有する薄膜トランジスタを形成し、
前記薄膜トランジスタ上に保護膜を形成し、
第３のフォトマスクを用いてコンタクトホール形成部以外の領域に第４のレジストを形成し、
前記第４のレジストで前記保護膜を加工し、前記コンタクトホールを形成し、
前記保護膜上に第２の透明導電膜を形成し、
第４のフォトマスクを用いて画素電極形成部に第５のレジストを形成し、
前記第５のレジストで前記第２の透明導電膜を加工し、画素電極を形成することを特徴とする半導体装置の作製方法。
【請求項３】
請求項２において、
前記第３の半導体膜は微結晶シリコンであることを特徴とする半導体装置の作製方法。
【請求項４】
請求項１乃至請求項３のいずれか一項において、
前記第１の半導体膜はＩ型アモルファスシリコンであることを特徴とする半導体装置の作製方法。
【請求項５】
請求項１乃至請求項３のいずれか一項において、
前記第２の半導体膜はｎ型アモルファスシリコンであることを特徴とする半導体装置の作製方法。
【請求項６】
請求項１乃至請求項５のいずれか一項において、
前記第１のフォトマスク及び前記第２のフォトマスクはハーフトーンフォトマスク又はグレートーンフォトマスクであることを特徴とする半導体装置の作製方法。
【請求項７】
請求項１乃至請求項６のいずれか一項において、
前記第２の透明導電膜の加工は、前記第２の透明導電膜に複数のスリットを設けることを特徴とする半導体装置の作製方法。
【請求項８】
請求項１乃至請求項７のいずれか一項において、
前記半導体装置はフリンジフィールドスイッチングモード液晶ディスプレイであることを特徴とする半導体装置の作製方法。
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
放送受信装置であって、
受信した放送信号に含まれる放送番組の映像を出力する映像出力手段と、
前記放送番組に関連する言語を示す言語情報を取得する言語取得手段と、
当該放送受信装置に接続されたキーボードから、押下されたキーを示すキーコードを受信する受信手段と、
前記言語情報が示す言語に対応するキーボードのキー配列を示す配列情報を取得する配列取得手段と、
前記キーコードを、前記配列情報が示すキー配列のキーボードにおいて前記キーコードに対応するキーに割り当てられた文字を示す文字コードに変換する変換手段と、
を備えることを特徴とする放送受信装置。
【請求項２】
当該放送受信装置に接続された前記キーボードの配列情報が示すキー配列のキーボードであって、各キーの位置に表示される文字を、前記配列取得手段が取得した配列情報が示すキー配列において割り当てられた文字に置き換えたキーボードを表すグラフィックを表示部に出力するグラフィック出力手段を更に備えることを特徴とする請求項１に記載の放送受信装置。
【請求項３】
前記受信手段は、当該放送受信装置に接続された前記キーボードから当該キーボードの前記配列情報を受信する
ことを特徴とする請求項２に記載の放送受信装置。
【請求項４】
前記言語取得手段は、前記放送番組を含む放送信号の放送システムに対応付けられた言語を示す言語情報、前記放送番組のチャンネルに対応付けられた言語を示す言語情報、及び前記放送番組で使用される言語を示す言語情報のいずれかを、前記放送番組に関連する言語を示す言語情報として取得することを特徴とする請求項１乃至３のいずれか１項に記載の放送受信装置。
【請求項５】
放送受信装置の制御方法であって、
前記放送受信装置の映像出力手段が、受信した放送信号に含まれる放送番組の映像を出力する映像出力工程と、
前記放送受信装置の言語取得手段が、前記放送番組に関連する言語を示す言語情報を取得する言語取得工程と、
前記放送受信装置の受信手段が、当該放送受信装置に接続されたキーボードから、押下されたキーを示すキーコードを受信する受信工程と、
前記放送受信装置の配列取得手段が、前記言語情報が示す言語に対応するキーボードのキー配列を示す配列情報を取得する配列取得工程と、
前記放送受信装置の変換手段が、前記キーコードを、前記配列情報が示すキー配列のキーボードにおいて前記キーコードに対応するキーに割り当てられた文字を示す文字コードに変換する変換工程と、
を備えることを特徴とする制御方法。 
【手続補正２】
【補正対象書類名】明細書
【補正対象項目名】００１１
【補正方法】変更
【補正の内容】
【００１１】
上記課題を解決するために、第１の本発明は、放送受信装置であって、受信した放送信号に含まれる放送番組の映像を出力する映像出力手段と、前記放送番組に関連する言語を示す言語情報を取得する言語取得手段と、当該放送受信装置に接続されたキーボードから、押下されたキーを示すキーコードを受信する受信手段と、前記言語情報が示す言語に対応するキーボードのキー配列を示す配列情報を取得する配列取得手段と、前記キーコードを、前記配列情報が示すキー配列のキーボードにおいて前記キーコードに対応するキーに割り当てられた文字を示す文字コードに変換する変換手段と、を備えることを特徴とする放送受信装置を提供する。
【手続補正３】
【補正対象書類名】明細書
【補正対象項目名】００１２
【補正方法】変更
【補正の内容】
【００１２】
また、第２の本発明は、放送受信装置の制御方法であって、前記放送受信装置の映像出力手段が、受信した放送信号に含まれる放送番組の映像を出力する映像出力工程と、前記放送受信装置の言語取得手段が、前記放送番組に関連する言語を示す言語情報を取得する言語取得工程と、前記放送受信装置の受信手段が、当該放送受信装置に接続されたキーボードから、押下されたキーを示すキーコードを受信する受信工程と、前記放送受信装置の配列取得手段が、前記言語情報が示す言語に対応するキーボードのキー配列を示す配列情報を取得する配列取得工程と、前記放送受信装置の変換手段が、前記キーコードを、前記配列情報が示すキー配列のキーボードにおいて前記キーコードに対応するキーに割り当てられた文字を示す文字コードに変換する変換工程と、を備えることを特徴とする制御方法を提供する。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
光源と、
前記光源から光を受け、埋め込みガウス・ビームを有する構造化された自由空間ビームを供給する光伝送システムとを備え、前記埋め込みガウス・ビームが幅を有し、前記光伝送システムが、試料の一領域に光を当てて空間領域に非線形応答を生成し、前記空間領域が、前記埋め込みガウス・ビームの前記幅に相当する幅を有するガウス・ビームで得られる空間領域より小さい、非線形光システム。
【請求項２】
前記構造化されたビームを前記試料の上に合焦する照射組立体をさらに備える、請求項１に記載のシステム。
【請求項３】
前記照射組立体が、前記構造化されたビームに前記試料の範囲にわたって走査させる、請求項２に記載のシステム。
【請求項４】
前記光伝送システムが、シングル・モード・ファイバと、モード変換器と、高次モード・ファイバとを備え、
前記構造化された自由空間ビームが、前記高次モードファイバの端面における出力として提供される、請求項１に記載のシステム。
【請求項５】
前記モード変換器が、前記高次モード・ファイバの少なくとも１つの低次の高次モードを励起するよう構成される、請求項４に記載のシステム。
【請求項６】
前記非線形応答を検出し、前記非線形応答から導き出された信号を使用して、前記試料の顕微鏡画像を生成する画像化組立体をさらに備える、請求項１に記載の光システム。
【請求項７】
共焦点分解能を前記顕微鏡画像に付加する出力ピンホール組立体をさらに含む、請求項６に記載のシステム。
【請求項８】
試料から顕微鏡画像を生成する方法であって、
（ａ）光を光源から受け、
（ｂ）前記光の低次の高次モードを励起し、
（ｃ）構造化された自由空間ビームを供給し、
（ｄ）試料の一領域を前記構造化された自由空間ビームで照射し、そして、
（ｅ）放射の非線形放出を生成する、方法。
【請求項９】
前記ステップ（ｄ）は、前記構造化された自由空間ビームに前記試料の範囲にわたって走査させる、請求項８に記載の方法。
【請求項１０】
（ｆ）前記非線形放出から導き出された非線形信号を使用して前記試料の顕微鏡画像を生成する、ことをさらに含む請求項９に記載の方法。
【請求項１１】
（ｆ）共焦点分解能を前記顕微鏡画像に付加するために出力ピンホールを使用する、ことをさらに含む、請求項１０に記載の方法。